【手続補正書】
【提出日】平成29年2月3日(2017.2.3)
【手続補正１】
【補正対象書類名】特許請求の範囲
【補正対象項目名】全文
【補正方法】変更
【補正の内容】
【特許請求の範囲】
【請求項１】
前面と、
後面と、
前記前面と前記後面を接合するエッジと
を備えるコンタクトレンズにおいて、
前記前面および前記後面は、中央光学部と、前記中央光学部の外側の周辺部とを形成し、
前記周辺部は、前記コンタクトレンズを回転して目標の向きに向けやすくするように回転力を提供するための様々な厚さを有する厚さプロファイルを有し、前記厚さプロファイルは、前記レンズが前記目標の向きにある際に前記レンズを横断して概して水平に延在する、実質的に一定の厚さの実質的な曲線を含むことを特徴とするコンタクトレンズ。
【請求項２】
請求項１に記載のコンタクトレンズにおいて、前記周辺部と前記エッジとの間に延在する外側周辺部をさらに備え、前記外側周辺部は、前記周辺部の外側端と前記エッジとの間で円滑に推移する厚さプロファイルを有することを特徴とするコンタクトレンズ。
【請求項３】
請求項１または２に記載のコンタクトレンズにおいて、前記中央光学部と前記周辺部との間に０．２〜０．５ｍｍの推移部を備え、前記推移部は、前記中央光学部の外側端と前記周辺部との間で円滑に推移する厚さプロファイルを有することを特徴とするコンタクトレンズ。
【請求項４】
請求項１乃至３の何れか１項に記載のコンタクトレンズにおいて、前記一定の厚さの線は、異なる回転角度における平面と前記コンタクトレンズの前記前面および／または前記後面との交差部分に実質的に沿って位置し、前記平面は、前記レンズの後方に回転の実質的な固定軸を有することを特徴とするコンタクトレンズ。
【請求項５】
請求項１乃至４の何れか１項に記載のコンタクトレンズにおいて、前記前面および前記後面の少なくとも１つの面上では、前記中央光学部は円形であり、前記周辺部は環状であることを特徴とするコンタクトレンズ。
【請求項６】
請求項１乃至５の何れか１項に記載のコンタクトレンズにおいて、前記中央光学部は、乱視の矯正のための光学を含むことを特徴とするコンタクトレンズ。
【請求項７】
請求項１乃至６の何れか１項に記載のコンタクトレンズにおいて、前記厚さプロファイルは、プリズムバラストタイプのレンズを提供することを特徴とするコンタクトレンズ。
【請求項８】
請求項１乃至６の何れか１項に記載のコンタクトレンズにおいて、前記厚さプロファイルは、ダブルスラブオフタイプのレンズを提供することを特徴とするコンタクトレンズ。
【請求項９】
請求項１乃至８の何れか１項に記載のコンタクトレンズにおいて、軟質の透過材料から実質的に形成されることを特徴とするコンタクトレンズ。
【請求項１０】
前面、後面およびエッジを備えるコンタクトレンズの製造のためのパラメータを生成する方法において、前記前面と前記後面との間で異なる厚さプロファイルを定義するステップを含み、前記厚さプロファイルは、
レシピエントの目に当てた際に前記コンタクトレンズを目標の回転の向きに向けやすくするように前記コンタクトレンズに対する回転力を提供するように適合され、
一定の厚さの非直線を含み、前記非直線は、前記レンズが前記目標の向きにある際に前記レンズを横断して概して水平に延在し、前記レンズの実質的に同じ水平経線にわたる直線と比べて、前記コンタクトレンズを装着した前記レシピエントのまぶたのうちの少なくとも１つの縁の接触線とより厳密に一致することを特徴とする方法。
【請求項１１】
請求項１０に記載の方法において、前記レシピエントの目は、目の集団、サブ集団またはグループからのデータに基づいて選択された名目上の目であることを特徴とする方法。
【請求項１２】
請求項１０または１１に記載の方法において、前記一定の厚さの非直線は、前記レンズの少なくとも上半球にわたって提供されることを特徴とする方法。
【請求項１３】
請求項１０乃至１２の何れか１項に記載の方法において、
少なくとも中央光学部と、前記中央光学部の外側の周辺部とを定義するステップと、
前記厚さプロファイルを、前記中央光学部ではなく、前記周辺部に提供するステップと
をさらに含むことを特徴とする方法。
【請求項１４】
請求項１３に記載の方法において、
前記周辺部の周りの、前記エッジまで延在する外側周辺部を定義するステップと、
前記周辺部の外側端と前記エッジとの間の厚さにおける円滑な推移を提供する前記外側周辺部における厚さプロファイルを定義するステップと
をさらに含むことを特徴とする方法。
【請求項１５】
コンタクトレンズを製造する方法において、前面と、後面と、前記前面と前記後面を接合するエッジとを有するコンタクトレンズボディを形成するステップを含み、前記コンタクトレンズは、少なくとも中央光学部と、前記中央光学部の外側の周辺部とを含み、前記周辺部内では、前記レンズは、請求項１３に従って選択されたパラメータを有する厚さプロファイルを有することを特徴とする方法。
【請求項１６】
請求項１５に記載の方法において、前記コンタクトレンズは、前記周辺部の周りの、前記エッジまで延在する外側周辺部を含み、前記外側周辺部は、前記周辺部の外側端と前記エッジとの間の厚さにおける円滑な推移を提供する厚さプロファイルを有するように形成されることを特徴とする方法。
【請求項１７】
請求項１５または１６に記載の方法において、前記中央光学部と前記周辺部との間の推移部を形成するステップをさらに含み、前記推移部は、前記中央光学部と前記周辺部との間の厚さにおける円滑な推移を提供することを特徴とする方法。
【請求項１８】
前面と、
後面と、
前記前面と前記後面を接合するエッジと
を備えるコンタクトレンズにおいて、
前記前面および前記後面は、中央光学部と、前記中央光学部の外側の周辺部とを形成し、
少なくとも前記周辺部内では、前記コンタクトレンズは、レシピエントの目に当てた際に前記コンタクトレンズを目標の回転の向きに向けやすくするように前記コンタクトレンズに対する回転力を提供するための厚さプロファイルを有し、前記厚さプロファイルは、一定の厚さの線を含み、前記一定の厚さの線は、前記レンズが前記目標の向きにある際に前記レンズを横断して概して水平に延在し、前記レンズの実質的に同じ水平経線にわたって延在する直線と比べて、前記コンタクトレンズを装着した人間のまぶたの縁の接触線とより厳密に一致することを特徴とするコンタクトレンズ。
【請求項１９】
請求項１８に記載のコンタクトレンズにおいて、前記厚さプロファイルは、一定の厚さの線を含み、前記一定の厚さの線は、前記レンズが前記目標の向きにある際に前記レンズを横断して概して水平に延在し、前記レンズの実質的に同じ水平経線にわたって延在する直線と比べて、前記コンタクトレンズを装着した人間のまぶたの前記縁の前記接触線とより厳密に一致し、前記中央光学部の少なくとも上方の領域に存在することを特徴とするコンタクトレンズ。
【請求項２０】
請求項１８に記載のコンタクトレンズにおいて、前記厚さプロファイルは、一定の厚さの線を含み、前記一定の厚さの線は、前記レンズが前記目標の向きにある際に前記レンズを横断して概して水平に延在し、前記レンズの実質的に同じ水平経線にわたって延在する直線と比べて、前記コンタクトレンズを装着した人間のまぶたの前記縁の前記接触線とより厳密に一致し、前記中央光学部の少なくとも上方および下方の領域に存在することを特徴とするコンタクトレンズ。
【請求項２１】
請求項１８に記載のコンタクトレンズにおいて、前記厚さプロファイルは、一定の厚さの線を含み、前記一定の厚さの線は、前記レンズが前記目標の向きにある際に前記レンズを横断して概して水平に延在し、前記レンズの実質的に同じ水平経線にわたって延在する直線と比べて、前記コンタクトレンズを装着した人間のまぶたの前記縁の前記接触線とより厳密に一致し、前記中央光学部の上方、下方および側方の領域に存在することを特徴とするコンタクトレンズ。